(57)【要約】  懐中電灯は、電池と、懐中電灯の発光源をそれぞれ操作するための２つのスイッチを備えている。スイッチは、結合三路スイッチであり、一時ＯＮ機能を有する。再充電装置と接触するために、容器の中間部に接触部がある。容器の上の切換装置と電池の上部の間にばね部材、および電池の底部の容器の基部にばね部材がある。拡大ヘッドは容器上に配置され、ヘッドと容器の間に中間部がある。中間部は第１のスイッチの一部を受ける。第２のスイッチは、懐中電灯の後部キャップの一部に配置されている。
2009503805.tif 000002
【特許請求の範囲】
【請求項１】
長手軸、上部、および基部を有する電池を受ける本体と、
反射器および発光源を有する前記本体上のヘッドと、
再充電装置上の接触部との接続を行うための、前記ヘッドの下の接触部と、
前記電池と前記発光源の間の電気回路を開閉するように、前記本体に対して内向きおよび外向きに移動するように、１つの選択的形態で動作する少なくとも１つの三路スイッチとを備えた懐中電灯。
【請求項２】
前記本体は第１の断面を有する容器を備えており、前記容器の上に、より大きな第２の断面を備えて延びている部分があり、前記より大きな第２の断面上の前記部分の上には、前記本体の前記ヘッドであるより大きな第３の断面を備えた部分がある、請求項１に記載の懐中電灯。
【請求項３】
前記本体は、前記スイッチから前記電池上部まで延びている第１のばね、前記電池底部と前記本体の基部の間の第２のばね、前記電池基部と前記スイッチの前記電気接触部の間の電気接続、および前記電池のいずれか側に衝撃吸収効果を提供するように働くばねを備えた、前記本体の外側部分上に弾力性スリーブを備えている、請求項１に記載の懐中電灯。
【請求項４】
前記容器は、前記スイッチの手動操作可能部が径方向開口部を通して延びているように前記スイッチを受け、前記手動操作可能部は前記スイッチを作動および停止させるように径方向内側および外側に動作可能である、請求項１に記載の懐中電灯。
【請求項５】
前記スイッチは、前記懐中電灯の一方側から径方向横向きに延びている手動操作可能部を含むスイッチ装置を備えている、請求項１に記載の懐中電灯。
【請求項６】
前記容器内で少なくとも１つのスイッチと電池の間に延びており、前記発光源に前記スイッチ装置を、選択的には第２のスイッチを電気接続させるように働く第２の接触ストリップを備えた、請求項１に記載の懐中電灯。
【請求項７】
前記電池の前記上部まで前記スイッチ装置から延びているばねと、前記電池まで前記本体の前記基部領域から延びているばねとを備えている懐中電灯であって、前記ばねは両方とも前記電池と前記発光源の間の電気回路の一部である、請求項１に記載の懐中電灯。
【請求項８】
長手軸、上部、および基部を有する電池を受ける本体であって、容器を含む本体と、
反射器および発光源を有する前記本体上のヘッドと、
前記電池と前記発光源の間で回路を選択的に開閉するための少なくとも２つのスイッチであって、第１のスイッチは前記懐中電灯上の第１の位置にあり、第２のスイッチは前記本体上の異なる位置にあるスイッチとを備えた懐中電灯。
【請求項９】
長手軸、上部、および基部を有する電池を受ける本体と、
第１の反射器およびＬＥＤを有する前記本体上のヘッドと、
少なくとも２つの三路スイッチであって、第１のスイッチは側部スイッチであり、第２のスイッチは後部スイッチであるスイッチと、
前記電池と前記ＬＥＤの間で電気回路を開閉させるための前記スイッチ間の電気回路と、
放熱板、および選択的に異なるＬＥＤを受けることを可能にするような金属コアプリント基板を備えたＬＥＤモジュールであって、第１の反射器はモジュールの一部であり、また熱フォールドバックおよび短絡保護の少なくとも一方を有する回路基板があり、反射器は第１の反射器と異なる特徴を有する第２の反射器と交換可能であるＬＥＤモジュールとを備えた懐中電灯。
【請求項１０】
長手軸、上部、および基部を有する再充電可能な電池を受ける本体と、
反射器および発光源を有する前記本体上のヘッドと、
少なくとも２つの三路スイッチであって、第１のスイッチは側部スイッチであり、第２のスイッチは後部スイッチであるスイッチと、
前記電池と前記発光源の間で電気回路を開閉するように前記スイッチ間の電気回路と接続するための電気接触部を含み、前記電池と前記発光源の間で前記電気回路を開閉するように前記本体に対して内側および外側に移動するように働く各スイッチと、
電池の前記上部まで前記第１のスイッチの領域から下向きに延びている第１のばね、および電池の前記底部と前記本体の基部の間の第２のばねと、
前記電池底部から前記発光源の側部で１つの接触部まで、前記容器の内側の側部に沿って向いている電気接触ストリップ接続と、
熱管理のための放熱板を含む発光源モジュールとを備えている懐中電灯。
【請求項１１】
長手軸、上部、および基部を有する、電池上部および電池底部を備えた電池を受ける本体と、
反射器および発光源を有する前記本体上のヘッドと、
少なくとも２つの三路スイッチであって、第１のスイッチは側部スイッチであり、第２のスイッチは後部スイッチであるスイッチと、
電気接触部を備え、前記本体と前記ヘッド部の間にあり、前記電池と前記発光源の間で電気回路を開閉させるように前記本体の前記長手軸に対して径方向内側および外側に移動するように働くスイッチ装置と、
前記スイッチ装置と前記電気回路の一部である前記電池上部の間のスタッド状の第１の接触部材と、
前記電池の前記上部と接触している第１のばねと、
前記電池底部と前記本体の前記基部の間の、前記電池回路の一部を構成していない第２のばねとを備えている懐中電灯。
【請求項１２】
前端部、および前記前端部と反対側の後端部を有する細長い電池容器と、
前記細長い電池容器の前記前端部に配置され、前記細長い電池容器から離れるように長手方向に尖っている発光源および発光源反射器を備えているランプアセンブリと、
前記後端部で前記電池容器上の前記懐中電灯用であり、前記発光源と電気接続可能である後端部三路スイッチと、
ゼノン電球またはＬＥＤである発光源と、
前記容器の側部のスイッチである三路スイッチとを備えている懐中電灯。
【請求項１３】
前記三路スイッチ機能により、前記側部スイッチを使用して懐中電灯を点灯させ、前記後部スイッチで消すことが可能になり、逆もまた同様である、請求項１２に記載の懐中電灯。
【請求項１４】
少なくとも１つの、好ましくは両方のスイッチは機能において瞬間的に動作し、機能における瞬間はスイッチが所定量の手動圧力で動作される場合に懐中電灯を点灯させ、手動圧力が所定量より小さくされた場合に消されるようになっている、請求項１２に記載の懐中電灯。
【請求項１５】
前記後部スイッチに連結し、それによって前記側部スイッチで動作し、好ましくは前記電池電力の機能を果たさない電池パックアセンブリ上の接触部を備えている、請求項１２に記載の懐中電灯。
【請求項１６】
ＬＥＤでは、熱管理のために、前記ＬＥＤモジュールの一部としてアルミニウム放熱板を含んでいるＬＥＤモジュールがある、請求項１２に記載の懐中電灯。
【請求項１７】
ＬＥＤでは、異なるＬＥＤを受ける金属コアプリント基板があり、選択的に反射器は交換可能であり、それによってモジュール式反射器システムは異なる角度および他の特徴に対して異なる反射器に交換することが可能であり、選択的に、熱フォールドバックおよび短絡保護を有する内蔵基板がある、請求項１２に記載の懐中電灯。
【請求項１８】
選択的にＬＥＤユニットの一部であるＬＥＤを備えた一体型放熱板を備えている懐中電灯であり、前記回路は、過熱がある場合に、回路はより少ない電力、選択的に５０％電力まで低下する可能性があるが、まだ動作することができる、請求項１２に記載の懐中電灯。
【請求項１９】
前端部、および前記前端部と反対側の後端部を有する電池容器と、
前記細長い電池容器の前記前端部に配置され、前記電池容器から離れるように長手方向に尖っている発光源および発光源反射器を備えている発光源アセンブリと、
懐中電灯用の少なくとも１つの三路スイッチと、
前記発光源アセンブリ内の前記発光源であるゼノン電球またはＬＥＤと、
前記スイッチが手動圧力において操作された場合に懐中電灯を点灯させ、前記スイッチが基本的に前記圧力から解放された場合に消すための一時ＯＮ機能を有する少なくとも１つのスイッチとを備えた懐中電灯。
【発明の詳細な説明】
【技術分野】
【０００１】
本開示は懐中電灯に関する。より詳細には、比較的厳しい条件で使用するための懐中電灯に関する。
【背景技術】
【０００２】
多くの懐中電灯構造が知られている。加えて、再充電不可能および充電可能な種々の懐中電灯構造が公知である。また、例えば、警察官、軍隊および消防士による厳しい使用に都合の良い種々の形の懐中電灯がある。
【０００３】
様々な公知の懐中電灯はしばしば、望むように製造するのが簡単でも安価でもなく、同時に長寿命および厳しい条件で動作する能力の効果的な特徴を有し、必要に応じて緊急の必要性にさらされている。
【発明の開示】
【発明が解決しようとする課題】
【０００４】
本開示は、公知の懐中電灯の欠点を最小限に抑える懐中電灯を提供することを目的としている。
【課題を解決するための手段】
【０００５】
本開示により、公知の懐中電灯の欠点を最小限に抑える懐中電灯が提供される。
【０００６】
この懐中電灯は、第１のスイッチでその懐中電灯を切り換えるために、理想的には人間の手の１本または複数本の指または親指で操作することができる。懐中電灯はまた、第２のスイッチを理想的には親指または手の掌領域で切り換えることによって操作する。
【０００７】
懐中電灯は、前端部およびその前端部と反対側の後端部を有する電池容器を備えている。懐中電灯は、第２のスイッチである後端部スイッチを備えている細長い電池容器を有する。細長い電池容器の前端部には、ランプおよび細長い電池容器から長手方向に離れるように尖っているランプ反射器を備えたランプアセンブリがある。その後端部の電池容器は、懐中電灯用の後端部スイッチを備えている。電池容器上のその懐中電灯用の後端部スイッチ、または後端部の容器用のクロージャキャップは、第１のスイッチおよびまた容器内の電池パックを通してランプに電気接続可能である。
【０００８】
電池式懐中電灯は、容器である本体部、中間部およびヘッドを備えている。中間部の前には、レンズおよびＬＥＤ球であるランプを備えた大きなヘッドが配置されている。
【０００９】
懐中電灯は、電池または電池パックが装填されている。内部電池の再充電を可能にするために、本体上への接触部がある。これらは、中間部の第１のスイッチ装置と反対側で容器の上の中間部上にある。
【００１０】
つる巻きばねが電池の上部に配置されており、別のつる巻きばねが電池の底部に配置されている。ばねは、電池を衝撃吸収モードに維持する。底部のつる巻きばねは、容器の基部の後部スイッチと電池の間に配置されており、電池と電気接触することができる。上部のつる巻きばねは、電池と、懐中電灯の容器の上で中間部に横方向に取り付けられた切換装置の間に配置されている。上部つる巻きばねはまた、電気接触することもできる。
【００１１】
開示をさらに、添付の図面を参照して説明する。
【発明を実施するための最良の形態】
【００１２】
本開示の上記特性および目的は、同様の参照番号が同様の要素を示す、添付の図面と合わせて、以下の説明を参照してより明らかになるだろう。
【００１３】
懐中電灯は、長手軸、上部、および基部を有する電池を受ける本体を備えている。反射器および発光源を有する本体上のヘッドがある。ヘッドの下の接触部は、再充電装置上の接触部との接続を行うためのものである。電池と発光源の間の電気回路を開閉するように、本体に対して内向きおよび外向きに移動するように、１つの選択的形態で動作する少なくとも１つの三路スイッチがある。
【００１４】
一形態では、少なくとも２つのスイッチ、好ましくは電池と発光源の間の回路を選択的に開閉させる三路スイッチがあり、第１のスイッチは懐中電灯上の第１の位置にあり、第２のスイッチは本体上の異なる位置にある。第１のスイッチは側部スイッチであり、第２のスイッチは後部スイッチである。三路スイッチ機能により、側部スイッチを使用して懐中電灯を点灯し、後部スイッチで消すことが可能になる、また逆も同様である。少なくとも１つの、好ましくは両方のスイッチは機能において瞬間的に動作し、機能における瞬間はスイッチが所定量の手動圧力で動作される場合に懐中電灯を点灯させ、手動圧力が所定量より小さくされた場合に消されるようになっている。
【００１５】
一形態では、電池とＬＥＤである発光源の間の電気回路を開閉させるスイッチ間に電気回路がある。ＬＥＤモジュールは、放熱板、および選択的に異なるＬＥＤを受けることを可能にするように金属コアプリント基板を備えており、反射器はモジュールの一部である。熱管理のために、ＬＥＤモジュールの一部として、アルミニウム放熱板を備えているＬＥＤモジュールがある。
【００１６】
熱フォールドバックおよび短絡保護の少なくとも一方を有する回路基板があり、反射器は第１の反射器と異なる特徴を有する第２の反射器と交換可能である。
【００１７】
第１のスイッチの領域から電池の上部まで下向きに延びている第１のばねと、電池の底部と本体の基部の間の第２のばねがある。電気接触ストリップ接続は、電池底部から発光源の側部の１つの接触部まで容器の内側の側部に沿って向いており、発光源モジュールは熱管理のために放熱板を備えている。
【００１８】
スイッチ装置と電気回路の一部である電池上部の間にはスタッド状の第１の接触部材があってもよく、第１のばねは電池の上部と接触しており、電池底部と本体の基部の間の第２のばねは電気回路の一部を構成していない。
【００１９】
前記細長い電池容器の前記前端部に配置されたランプアセンブリは、細長い電池容器から離れるように長手方向に尖っている発光源、および発光源反射器を備えており、発光源はゼノン電球またはＬＥＤであってもよい。
【００２０】
開示の懐中電灯は、警察市場で使用することができる。ゼノン電球またはＬＥＤ版を使用することができる。
【００２１】
この懐中電灯の１つの特性は、２つの三路スイッチ、すなわち第１のスイッチ、側部スイッチまたは横スイッチ、および第２のスイッチ、すなわち後部スイッチを有することである。一部の警官は側部スイッチを好み、他の警官は後部スイッチを好む。後部スイッチの使用が必要である場合（例えば、戦術的な状況における）の例があり、もう一方の手でハンドガンを保持する場合に後部スイッチを使用する必要がある可能性がある。三路スイッチ機能により、使用者が、側部スイッチを使用して懐中電灯を点灯させ、後部スイッチで消すことが可能になり、また逆も同様である。この機能は、使用者が懐中電灯を点灯させるのにどちらのスイッチを作動させたかを忘れた場合に有用である。１本または複数本の指または親指をこのために使用することができる。
【００２２】
別の特性は、両方のスイッチが一時ＯＮ機能を有するということである。一時ＯＮ機能は、スイッチが押された場合に懐中電灯を点灯させ、スイッチが放された場合に消す。三路スイッチは、例えば家庭内の廊下の照明で一般的であるが、これらには一時機能で動作しているものはない。
【００２３】
懐中電灯は二重三路スイッチを有する。選択的に懐中電灯内で一時ＯＮ機能を備えているまた備えていない、また二重三路スイッチの少なくとも１つに一時機構を選択的に有する、二重三路スイッチが有利である。
【００２４】
側部スイッチに後部スイッチ動作を接続させる電池パックアセンブリ上の接触部は、電池のいかなる機能も果たさないが、他の状況では、電池で動作することができることが好ましい。
【００２５】
ＬＥＤモジュールは、熱管理のための、ＬＥＤモジュールの一部としてアルミニウム放熱板を備えることができる。様々なＬＥＤ供給者からのＬＥＤ設置面積を許容するために、金属コアプリント基板（ＭＣＰＣＢ）がある。反射器はモジュール式設計のものであり、内蔵基板は熱フォールドバックおよび短絡保護を有する。モジュール式反射器は、異なる角度および他の特徴のための異なる反射器に交換することが可能である。ＬＥＤユニットの一部であるＬＥＤを備えた一体型放熱板がある。さらに、回路システムは、過熱がある場合に、回路はより少ない電力、例えば５０％電力まで低下する可能性があるが、まだ動作することができる。基板が汎用であるので、異なるＬＥＤユニットを取ることができる。基板の異なる構成および／または配置があってもよい。
【００２６】
懐中電灯１００は、容器本体部１０２と、中間領域１０４と、上部１０６とを備えている。容器１０２は後部キャップ１０８に連結され、上部１０６に連結されたヘッド部１１０がある。容器１０２まで部分的に延びる中間部１０４では、懐中電灯の長さに対して横向きに上下に矢印１１８によって示されるような動作のための押ボタン１１６である第１のスイッチ構成１１２がある。容器の外側部分は、使用者の手での把持動作を容易にするように、グリップ形成またはスリーブ１２０を有することができる。容器１０２の下部は、懐中電灯がしたがって許容可能な形式で再充電ユニット内に連結させることができる場合に、再充電装置との相互作用のための端子１２４を備えたプレート１２２を有する。他の場合、懐中電灯は再充電可能な懐中電灯ではなくてもよく、異なる電池構成を懐中電灯で使用することができる。
【００２７】
後部キャップ部１０８および本体部１０２は、懐中電灯のヘッド部１１０よりも全断面が比較的小さい。後部キャップの脚部は、矢印１２８に示すように内向きおよび外向きに移動する、押ボタンカバー１９８を有する。この第２のスイッチは、懐中電灯１００の本体の容器の後部で動作する。図３５から４０に示すようなヘッド１１０の上部または頂部は、突起要素１１０ａ、およびヘッド１００の周りで周方向に間隔を置いて配置した窪み要素１１０ｂを有する。
【００２８】
ヘッド１１０は、番号１３０で示す領域内部にレンズおよび反射器構成を保持する。
【００２９】
展開図として示すように、電池パックの周りでシース上に配置された端子１３６および１３８および１４０を有するケーシングまたはシース１３４を備えた電池パック１３２がある。
【００３０】
押ボタン１１６は、懐中電灯容器の本体内のキャビティ１４０に嵌合する。キャップの基部周りのリップ１４２は、ボタンが容器から外向きに移動するのを防ぎ、また懐中電灯構成の密封を助ける。
【００３１】
第１のスイッチ、すなわち横側部スイッチは、それぞれインターフェイス１４６および１４８で互いに噛み合う２つのプラスチック構造体部材１４３および１４４を備えている。構成部材１４３は、矢印１１８によって示された上下方向に移動するために、押ボタン１５２がこれを通して入ることができる開口部１５０を有する。押ボタンポストまたはピン１５２の内側の中空部内に部分的に嵌合するばね１５４、および番号１５８で集合的に示した二次セットの構成部品と相互作用する、番号１５６で集合的に示した多構成部品リングおよびコネクタ構成がある。ポスト１５２は矢印１５３によって示すように回転可能である。
【００３２】
これらの構成部品により、構成は押ボタン１５２が押された場合に、１つまたは複数の構成部品、例えば３つの方向の１つに作用する構成部品１６０の回転が生じる。スイッチ１１２の操作は、電池パックで回路を閉じ、電池パックで回路を開き、または一時ＯＮ位置に対して作用するように働く。
【００３３】
それぞれ３つの細長い接触突出部１６２、１６４および１６６が、スイッチ構造体１４３および１４４から後向きに延びている。これらの突出部は、回路を適当に電池パックで閉じることを可能にするように、電池パック１３２のケーシングの外側と接触する。
【００３４】
ヘッド１１０内でレンズ構成と係合するように、スイッチ１１２の前に向いているばね１６８がある。別のばね１７０は、適当な方法でも電池パックの上部と係合する。ボタン１５２は、必要に応じてキャップ１１６によって覆われている。
【００３５】
懐中電灯の中間部の上、およびレンズ構成用のヘッド１１０の下のハウジング１７２は、相補的な外部ねじ付き部を有する容器の上部に係合するように、内部ねじ付き部１７４を有する円筒部を備えている。また、ヘッド１１０の内部ねじ付き部と係合するように、外部ねじ１７６部を備えている。
【００３６】
放熱板結合であるハウジング１７２は、容器の上部に隣接して中間ハウジング１７２内に嵌合する別個の真鍮缶部１８０を有する、反射器１７８の本体を収納する。部分１７８は、ヘッド１１０に隣接する中間部に嵌合する。
【００３７】
レンズ１８２は、ＬＥＤ１８６または他の光源を配置する、反射器の中心部を有する反射表面１８４を有する反射器本体１７８を備えている。真鍮リベット上のばね構成１８８は、必要に応じて、装置に適切な弾力性および衝撃吸収性を提供する。また、電気端子の１つとして働くこともできる、または電気回路の他の部分は缶１８０を通ることができる。ばね構成はまた、接触基板の一部で取り付けられ、その後、接触板の前に、変換器基板アセンブリユニットおよびＬＥＤ／ＭＣＰＣＢユニットがある。ねじ山１７６の上に嵌合するシリコンＯリングがある。後向きに、熱伝導化合物が、反射器本体１７８の基部と部分１７２の内部係合面仕上げ工具の間に塗布される。
【００３８】
後部キャップ１０８は、容器の基部で容器１０２上の外部ねじ山と係合する内部ねじ山１９０を備えており、ねじ山１９０はまた第２のスイッチ１９６の本体１９４の外部ねじ山１９２と係合する。第２のスイッチ１９６は、矢印２０４で示すように、内向きおよび外向き移動を容易にするために、ばね機構２０２を着座させるように中空である回転可能ピンポスト２００を覆うカバーキャップ１９８を備えている。第２のスイッチ１９６のスイッチ構成の一部として働く、数字２０６で集合的に示す多数の機構がある。
【００３９】
本体１９４は、本体１９４の上部と嵌合する噛合本体２０８を有し、それによってインターフェイス２１０が適当な方法でインターフェイス２１２と係合する。これらの２つの構成部品の間、およびインターフェイス内で、構成内に配置されていないスイッチの異なる構成部品は、矢印２０４によって示すように内側および外側に移動するときに、矢印２１４によって示すように相対的に回転可能である相対回転可能ピンポスト２００があるようになっている。これは、矢印１５３によって示すように回転可能である回転可能ポスト１５２と同様である。
【００４０】
電池パック１３２の基部と係合するばね２１８が、本体２０８の面２１６上の前方向に取り付けられている。また、適当に電池のケーシングと電気接続するための、それぞれ２つの接触ピン２２０および２２２がある。これらのピンは必要に応じて、ランプホルダ内で電池とＬＥＤ１８６の間で電気回路を閉じる。ばね２１８は、必要に応じて電気回路を提供し、また懐中電灯の異なる構成部品の間に弾力性を付与する。
【００４１】
スイッチ１９６は、回路を開閉し、それによってＬＥＤのスイッチを入れたり切ったりするように、ピンポスト２００を通したキャップカバー１９８の操作により動作する。これは加えて、ＯＮ操作をスイッチ１９６の指定位置内に一時的にオンにする。押し下げは、キャップ１９８への、その後、ピン２００への親指または掌の圧力によるものである。
【００４２】
図示のように、電池パックのヘッドに向かって第１のスイッチ１１２、および電池パックの後端部に向かって第２のスイッチ１９６を備えた電池パック１３２がある。
【００４３】
電池パック１３２は、電池の周りにケーシングまたはシース２２４を備えており、このシースはＬＥＤランプ１８６から電池を通して、それぞれスイッチ１１２および１９６までの間の電気伝導回路の一部である。シース２２４上の端子は、その電気回路に連続性を提供するように働く。
【００４４】
電気ＯＮ−ＯＦＦスイッチは、ＯＮ−ＯＦＦ位置および一時ＯＮスイッチを有する三路スイッチである。押ボタンスイッチアクチュエータは、選択位置で所望に応じて、ＯＮ−ＯＦＦ位置押ボタンスイッチアクチュエータを解放可能に遮断することができる回転スイッチアクチュエータである。一時ＯＮ切換機能を備えた後端部ＯＮおよびＯＦＦ三路スイッチは、ＯＦＦ位置、ＯＮ位置、および一時ＯＮ位置で動作する。
【００４５】
押ボタンスイッチアクチュエータおよび回転スイッチアクチュエータを備えた電気ＯＮ−ＯＦＦスイッチは、回転スイッチアクチュエータで電気ＯＮおよびＯＦＦ切換を行うように動作する。回転スイッチアクチュエータ内の回転移動から長手方向移動への変換装置は、回転移動から長手方向移動への変換装置と、必要に応じて、回転スイッチアクチュエータからＯＮ−ＯＦＦ位置押ボタンスイッチアクチュエータまで延びる解放可能なＯＮ位置遮断装置とを備えている。これは、回転移動から長手方向移動への変換装置でＯＦＦ位置に押ボタンスイッチアクチュエータを遮断することができ、移動変換装置を備えている。
【００４６】
一時的な第３の位置では、電気光源は、外部スイッチが第１の位置に向かう付勢に対して第３の位置に手動で保持される限り、一時的にＯＮになるだけである。
【００４７】
電池は、電流を供給するために、互いに連結された１つまたは複数の電池であってもよい。
【００４８】
電気ＯＮ−ＯＦＦスイッチは、ＯＮ−ＯＦＦ位置押ボタンスイッチアクチュエータを有し、回転スイッチアクチュエータがあってもよい。ＯＮ−ＯＦＦ位置押ボタンスイッチアクチュエータは、付勢または端子ばねなどによって、ＯＦＦ位置まで付勢させることができる。アクチュエータは、電気ＯＮ位置までばねの付勢に対して手動で作動可能である。
【００４９】
スイッチは円筒形構成を有することができ、回転スイッチアクチュエータは、その基部上の手動作動ノブであってもよい。このような作動ノブまたは回転スイッチアクチュエータは、ねじ山を噛み合わせることによって、円筒形スイッチ基部上にねじ込むことができる。作動ノブまたは回転スイッチアクチュエータは、このような作動ノブまたは回転スイッチアクチュエータが回転の意味で手動に回転され、回転とは逆の意味で逆に回転されるので、円筒形基部上で前後に移動することができる。
【００５０】
作動ノブまたは回転スイッチアクチュエータの手動回転動作は、閉スイッチまたはＯＮ位置から遮断されないＯＦＦ位置まで長手方向動作に変換される。したがって、遮断されないＯＦＦ位置切換回転動作を通した回転などによって、遮断したＯＦＦ位置まで変換される。これは、回転スイッチアクチュエータの回転動作をＯＦＦ切換回転動作を通して回転スイッチアクチュエータの動作に変換する。このような回転スイッチアクチュエータからＯＮ−ＯＦＦ位置押ボタンスイッチアクチュエータまで延びる回転スイッチアクチュエータ内に回転移動から長手方向移動への変換装置がある。
【００５１】
場合によっては、スイッチは遮断されないＯＦＦ位置を通して作動ノブまたは回転スイッチアクティベータの１から２の余分な回数による偶然の作動に対して遮断することができる。スイッチアクチュエータは、作動ノブまたは回転スイッチアクチュエータおよびプランジャに連結され、好ましくは一方側でアセンブリを覆っているエラストマー隔膜を備えることができる。
【００５２】
電気光源は、後端部に陥凹を有する後端部と、電気光源がＯＦＦである第１の安定位置、電気光源がＯＮである第２の安定位置、および電気光源が一時的にＯＮであるように第１の位置に向かって付勢された第３の一時位置に対して、陥凹の内側のその後端部内に取り付けられたスイッチとを備えているハウジングを有する。スイッチがこれに向かってこのような第３の位置に手動で保持されている限り、第１の位置に向かって付勢する。
【００５３】
懐中電灯光線は、第１のＬＥＤまたは他のランプおよび反射器アセンブリで使用することができる、または必要に応じて第２の代替ランプおよび反射器アセンブリで使用することができる。第１のランプおよび反射器アセンブリ、および第２のアセンブリは、必要に応じて異なる構成の光線に対するものである。
【００５４】
第１のランプおよび反射器アセンブリでの第１の光線を取り除くことができ、第２の代替ランプおよび反射器アセンブリはその後置き換えることができる。異なる構成の第２の光線はその後、第２の代替ランプおよび反射器アセンブリで使用することができる。第２の代替ランプおよび反射器アセンブリは、第１のランプおよび反射器アセンブリと異なる。
【００５５】
第１の光線ランプおよび反射器アセンブリは、第２のランプおよび反射器アセンブリに対して異なる光線キャスティングユニットを有することができる。その第１の光線ランプおよび反射器アセンブリ、および別の方法では、第２のランプおよび反射器アセンブリに対する懐中電灯内の共通のレセプタクルがあってもよい。これらの異なるアセンブリは、別の方法で共通のレセプタクル内の噛合ねじ山に嵌合する同様のねじ山を有することができる。
【００５６】
光線の所望の構成は、各アセンブリ内のランプおよび反射器の適当な寸法および相対位置によって、または他の従来の手段によって実現することができる。拡散光線は第１のランプおよび反射器アセンブリを使用してでもよく、狭い光線は別の方法では第２の代替ランプおよび反射器アセンブリを使用してでもよい。
【００５７】
第１のランプハウジングは、拡散光線を放射する光線拡散電気光源および反射器アセンブリを有する。第２のランプハウジングは、狭い光線放射電気光源および反射器アセンブリを有する。「拡散」および「狭い」は相対的な用語であり、第２の光線は第１の光線より狭い。
【００５８】
ランプハウジングは、光源への電気電池電力の供給のための同様のばね端子を有することができる。追加のばねは、衝撃吸収の目的で提供することができる。本発明の様々な態様の特性は有利には組み合わせることができる。
【００５９】
異なる光線は、必要に応じて異なる電気電力供給装置から付勢することができ、異なるランプおよび反射器アセンブリは異なる電気電力供給装置に対して提供し、使用することができる。異なる光線ランプおよび反射器アセンブリは、より大きな汎用性でスイッチシステムと組み合わせることができる。
【００６０】
懐中電灯は、第１の光線キャスティングランプおよび反射器アセンブリと、第２の異なる光線キャスティングランプおよび反射器アセンブリと、第１の光線キャスティングランプおよび反射器アセンブリ用の共通のレセプタクルとを備えることができる。別の方法では、第２のランプおよび反射器アセンブリでは、このような第１および第２のランプおよび反射器アセンブリのいずれかのランプに対して電気ＯＮ−ＯＦＦスイッチがある。その電気ＯＮ−ＯＦＦスイッチ内にＯＮ−ＯＦＦ位置押ボタンスイッチアクチュエータおよび回転スイッチアクチュエータがあってもよく、また解放可能なＯＮ位置遮断装置は、回転スイッチアクチュエータからＯＮ−ＯＦＦ位置押ボタンスイッチアクチュエータまで延びることができる。
【００６１】
スイッチのいずれか一方または両方とも、第１および第２のランプおよび反射器アセンブリのいずれかのランプに対する電気ＯＮ−ＯＦＦスイッチであってもよい。
【００６２】
親指領域により切り換わる懐中電灯は、親指および親指の母指球を覆っており、この母指球は、親指の基部によって丸み付けられた隆起であり、掌につながっている。
【００６３】
電池容器を備えた懐中電灯は、その懐中電灯に後端部スイッチを提供する。懐中電灯１００は、前端部、およびその前端部と反対側に後端部を有する細長い電池容器を備えている。ランプアセンブリは、細長い電池容器の前端部に配置されており、細長い電池容器から長手方向に離れて尖っているランプおよびランプ反射器を備えている。電池容器は、懐中電灯用の後端部スイッチをその後端部に備えている。電池容器上の懐中電灯用の後端部スイッチはしたがって、後端部にあり、ランプに電気接続可能である。
【００６４】
ランプアセンブリは、電池容器の後端部または突起部にねじ付けられたランプハウジングまたはベゼルを有することができる。ランプアセンブリは、ねじ込み以外の手段により電池容器上に取り付けることができる。
【００６５】
ランプアセンブリは、間隔を置いて配置した第１および第２のランプ端子を有することができ、それぞれ電池容器と電池端子と接触するようになっている。端子ばねは衝撃吸収材として働くことができ、衝撃負荷およびシフトしている電池からの衝撃に対してランプを守ることができる。電球は、後端部スイッチまたは横スイッチが押された場合に、電池端子を通した付勢のためにランプ端子またはばねの間に連結されたＬＥＤまたは白熱フィラメントを備えることができる。ばねは、ランプまたは電球を取り付けることもできる一片のセラミックまたは他の電気絶縁材料またはリテーナ内に保持することができる。
【００６６】
懐中電灯の切換機能は、いずれかの特定の種類の電気または機械切換機構に限るものではない。後端部スイッチは、容器の端部に接触することが可能なプランジャを備えている。電池端子のばねは、容器端部から離れるようにプランジャを付勢させる。電池からランプに電流は流れていない。というのは、プランジャはまた容器から弾性Ｏリングによって電気絶縁されているからである。後端部キャップは、電気絶縁材料でできている、または電池容器から電気絶縁されているかのいずれかである。
【００６７】
切換機構は、回転または長手方向切換機構と組み合わせられる。いくつかの場合では、ランプが点灯するまで容器に対して回転可能であるあるいは移動可能である端部キャップがあってもよい。ランプまたは懐中電灯はその後、指、親指または親指領域などによって、可撓性隔膜を比較的小さく押すこと、またはプランジャの他の作動によって点灯させることができる。懐中電灯の作動に必要な隔膜またはプランジャの前進、または懐中電灯の「接触」は、容器に対する後部キャップの予備回転または他の動作によって異なる人および嗜好に対して容易に調節可能である。
【００６８】
懐中電灯は、本体の基部と本体の上部の間に実質的に対称形の第１の断面領域を有する本体を備えている。第１の断面領域は、八角形構成によって外側で画定され、内部構成は実質的に円形構造として形成される。本体は容器を備えている。
【００６９】
本体部の前には、第２の断面領域によって画定される中間部がある。中間部の前には、比較的拡大されたヘッド部がある。中間部は、一方側、すなわち懐中電灯の八角形側部の１つに突起を備えている。突起は、部分的に、第１の切換装置を収納するためのものである。
【００７０】
ヘッド部は、レンズと、レンズ内に、ＬＥＤまたは他の電球を備えている。本体部外側表面八角形構成は、２つの周面リップを備えることができる。リップは、外側の周りで本体部の最上部に実質的に配置されている。リップはまた、本体部の外側の周りで基部に向かって配置されている。これらのリップは、リップの間に形成された周面樋内に嵌合することができる、押出加工された弾力性および可撓性があり伸縮可能なスリーブを受ける受け領域を提供する。スリーブの外側表面は、リップの間の定位置にある場合に、本体部の外側表面とほぼ同一平面上にある。
【００７１】
中間部は、本体部の第１の断面領域より比較的大きい第２の断面領域を有する。第２の断面領域は、本体部を通して延びる長手軸の一方側に対して相対的に延びており、切換装置を受けるように働くのはこの延長部である。
【００７２】
延長部には、これを通してスイッチ装置またはアセンブリの手動操作可能な移動可能切換アームまたは押ポストピンボタンが配置される横開口部が設けられている。スイッチパッドボタンカバーが、可動アームまたは押ポストピンに設けられている。手動操作可能スイッチアームは、ばね作動スイッチアセンブリを作動させてスイッチ装置内の電気接触部を開閉させるように押すことができる。スイッチ装置の反対側の端部は、本体に対して横方向に向いている電気接触部と、すなわちヘッドの下の中間部で連結している。
【００７３】
中間部の延長突起を本体部に連結させる、相対的なテーパ状区間がある。延長中間部をヘッド部に連結させる、テーパ状区間がある。ヘッド部は、中間部より相対的に大きい断面を有するように形成されている。拡大部の位置は、長手軸に対して比較的中心に形成されている。
【００７４】
スイッチ装置アセンブリの後端部は、電池に向かっている１つまたは複数のつる巻きばねを備えている。つる巻きばねは互いに対向しており、それによって電池を衝撃吸収構成でばねの間に垂下させる。ばねの１つまたは複数は、電池と電気接触し、スイッチ装置の端子と電気接触している。
【００７５】
第１のスイッチの操作アームおよび押ボタンがスイッチ装置アセンブリのプランジャ機構を押して押し下げるように働くと、電球間の電池を連結させる回路はスイッチ装置アセンブリ、およびスイッチ装置アセンブリ内の電気接触部を通して作られるまたは破断される。スイッチアセンブリの操作は、懐中電灯の本体の長手軸に対して横向きまたは相対的に径方向を向いている。操作アームおよび押ボタン、およびプランジャは軸に対して比較的径方向または横方向に作用し、操作アームおよび押ボタンは懐中電灯上の接触部に対して径方向反対側の位置に相対的に配置されている。
【００７６】
スイッチアセンブリは、プランジャの周りに螺旋状および同軸に取り付けられた１つまたは複数のばねで動作するプランジャを備えている。電池とＬＥＤ電球の間で懐中電灯回路を開閉し、作るための適切な接触部が設けられている。
【００７７】
第１のスイッチでは、使用者の指操作による積極的な係合などのために、適切なボタンパッドがピンポストに設けられている。
【００７８】
本開示の多くの他の形態が存在し、それぞれは細部のみが互いに異なる。
【００７９】
例えば、レンズまたは容器の周りに衝撃吸収シュラウドを備えている、または備えていない状況がある可能性がある。再充電可能なニッケルカドミウム構成を含む、異なる構成のものである電池のいずれか側につる巻きばねの代わりに、効果的な衝撃吸収特徴を電池のいずれか側に提供するように異なるばね構成がある可能性がある。他の場合では、長手懐中電灯の代わりに、それぞれ異なる目的に適した懐中電灯の他の異なる形状がある可能性がある。いくつかの場合では、スイッチの１つまたは複数は非三路スイッチであってもよい。
【００８０】
普通、構成部品の構成は、ユニットが比較的不浸透性である性質をしており、このように、構成部品の構成はしっかり嵌合しており、電池の内部運転および区画内への水の浸入が、通常およびさらに比較的厳しい運転状況では比較的難しい材料でできている。
【００８１】
開示をより実用的および好ましい実施形態であると現時点で考えられるものに関して記載したが、開示は開示した実施形態に限る必要はないことを理解すべきである。特許請求の範囲の精神および範囲内に含まれる様々な変更形態および同様の配置を含むことを意図しており、その範囲はこのような変更形態および同様の構造全てを含むように最も広い解釈と一致すべきである。本開示は、頭記の特許請求の範囲のあらゆる全ての実施形態を含んでいる。
【図面の簡単な説明】
【００８２】
【図１】第１のスイッチ、すなわち懐中電灯の中間部で横方向を向いたスイッチを備えた懐中電灯の上部を示す懐中電灯の側面図である。
【図２】図１に対して９０度回転させた図による懐中電灯の側面図である。
【図３】再充電器ユニットと接続させるための端子または接続部を備えた、懐中電灯の下面を示す懐中電灯の側面図である。
【図４】容器の後部の第２のスイッチを示す懐中電灯の底面図である。
【図５】懐中電灯のヘッドの上部、およびレンズを保持する部分を示す懐中電灯の正面図である。
【図６】懐中電灯の図１と同様である図であり、図６の懐中電灯のＬＥＤハウジング部は図１の懐中電灯のヘッド部より比較的小さいおよび短く、また図６の容器部は図１の懐中電灯より比較的小さいおよび短く、図６の懐中電灯のモデル全体は図１の懐中電灯より比較的小さい懐中電灯である。
【図７】懐中電灯の図２と同様である図であり、図７の懐中電灯のＬＥＤハウジング部は図２の懐中電灯のヘッド部より比較的小さいおよび短く、また図７の容器部は図２の懐中電灯より比較的小さいおよび短く、図７の懐中電灯のモデル全体は図２の懐中電灯より比較的小さい懐中電灯である。
【図８】懐中電灯の図３と同様である図であり、図８の懐中電灯のＬＥＤハウジング部は図３の懐中電灯のヘッド部より比較的小さいおよび短く、また図８の容器部は図３の懐中電灯より比較的小さいおよび短く、図８の懐中電灯のモデル全体は図３の懐中電灯より比較的小さい懐中電灯である。
【図９】懐中電灯の図４と同様である図であり、図９の懐中電灯のＬＥＤハウジング部は図４の懐中電灯のヘッド部より比較的小さいおよび短く、また図９の容器部は図４の懐中電灯より比較的小さいおよび短く、図９の懐中電灯のモデル全体は図４の懐中電灯より比較的小さい懐中電灯である。
【図１０】懐中電灯の図５と同様である図であり、図１０の懐中電灯のＬＥＤハウジング部は図５の懐中電灯のヘッド部より比較的小さいおよび短く、また図１０の容器部は図５の懐中電灯より比較的小さいおよび短く、図１０の懐中電灯のモデル全体は図５の懐中電灯より比較的小さい懐中電灯である。
【図１１】図１から５の懐中電灯の斜視図である。
【図１２】図６から１０の懐中電灯の斜視図である。
【図１３】後部キャップの第２のスイッチを備えた後部、上記第２のスイッチを収納する電池、および電池が中に配置された容器部を示す、図６から１０および図１２の懐中電灯の展開図であり、第１のスイッチは押ボタンカバーが取り外された本体内にあり、ヘッドはスイッチ機構とヘッドの上部の間にレンズを備えた前側延長展開位置にある。
【図１４】後部キャップ、スイッチ用ねじ込み支持基部構造または機構、押ボタンばね作動スイッチ構成要素、および上部構造プレート上に基本的に配置されたばねおよび電池に向かう位置に対するプレートまたは構造から延びている２つの接触部を備えたスイッチ用噛合上部構造またはプレートを示す、懐中電灯の後部キャップの展開図である。
【図１５】第１のスイッチ、すなわち本体の中間部内またはその近くの位置に対する横スイッチの展開図であり、横スイッチは１つまたは複数のばね機構で作動するばね取付プランジャピン機構が配置される２つの構造的噛合要素を有し、ピンは通常は外向きに付勢され、第１の横スイッチから後向きに、電池ケーシングに向かっている少なくとも３つの接触リンクがある。
【図１６】電池ケーシングを定位置に置くことなく、第１のスイッチ、すなわち横スイッチの上面図である。
【図１７】電池ケーシングを定位置に置くことなく、図６に対して相対的に９０度回転させた第１のスイッチの側面図である。
【図１８】反射器、反射器が嵌合するハウジング、およびばね部材で反射器を固定するための基部を示すレンズ構造および構成の展開斜視図であり、ランプはＬＥＤ構成である。
【図１９】レンズおよび反射器構造および構成を固定する、本体アセンブリの組み立てた形式を示す斜視図である。
【図２０】レンズ構造および構成、およびレンズ構造および構成を保持する中間本体部分の側断面図である。
【図２１】懐中電灯の後部用の第２のスイッチ、懐中電灯の後部用の第２のスイッチのヘッドの介在電池パックおよび第１のスイッチ、懐中電灯のヘッドに向かう介在電池パックおよび第１のスイッチ、電池パックまたはケーシングの外側本体に沿って後向きの３つの端子突出部を有する第１のスイッチを示す等角図である。
【図２２】後部スイッチ、電池パック、電池パックの本体に沿って向いている後向きの端子を備えた第１のスイッチを示す後部から見た等角図である。
【図２３】後部スイッチまたは第２のスイッチ、電池パック、および第１のスイッチ、すなわち横スイッチを示す、電池パックの上部から見た側面図であり、コネクタ端子は電池パックに沿って向いている。
【図２４】第２のスイッチ、すなわち後部スイッチ、電池パック、および横スイッチの構成の側面図であり、この図は図２３に対して９０度旋回されている。
【図２５】後部から見た電池パックの斜視図である。
【図２６】前部から見た電池パックの斜視図である。
【図２７】電気回路および懐中電灯を消した状態の三路スイッチを示す、懐中電灯の略側面図である。
【図２８】電気回路および懐中電灯をつけた状態の三路スイッチを示す、懐中電灯の略側面図である。
【図２９】懐中電灯の図６と同様の図であり、外側構成が異なり、容器の外側に消火弾タイプの外側内部係合表面を有する。
【図３０】懐中電灯の図７と同様の図であり、外側構成が異なり、容器の外側に消火弾タイプの外側内部係合表面を有する。
【図３１】懐中電灯の図８と同様の図であり、外側構成が異なり、容器の外側に消火弾タイプの外側内部係合表面を有する。
【図３２】懐中電灯の図９と同様の図であり、外側構成が異なり、容器の外側に消火弾タイプの外側内部係合表面を有する。
【図３３】懐中電灯の図１０と同様の図であり、外側構成が異なり、容器の外側に消火弾タイプの外側内部係合表面を有する。
【図３４】懐中電灯の図１１と同様の図であり、外側構成が異なり、容器の外側に消火弾タイプの外側内部係合表面を有する。
【図３４】懐中電灯の図１２と同様の図であり、外側構成が異なり、容器の外側に消火弾タイプの外側内部係合表面を有する。
【図３５】懐中電灯の図１と同様の図であり、外側構成が異なり、容器の外側に消火弾タイプの外側内部係合表面を有する。
【図３６】懐中電灯の図２と同様の図であり、外側構成が異なり、容器の外側に消火弾タイプの外側内部係合表面を有する。
【図３７】懐中電灯の図３と同様の図であり、外側構成が異なり、容器の外側に消火弾タイプの外側内部係合表面を有する。
【図３８】懐中電灯の図４と同様の図であり、外側構成が異なり、容器の外側に消火弾タイプの外側内部係合表面を有する。
【図３９】懐中電灯の図５と同様の図であり、外側構成が異なり、容器の外側に消火弾タイプの外側内部係合表面を有する。
【図４０】懐中電灯の図１１と同様の図であり、外側構成が異なり、容器の外側に消火弾タイプの外側内部係合表面を有する。
【図１】
2009503805.tif 000003
【図２】
2009503805.tif 000004
【図３】
2009503805.tif 000005
【図４】
2009503805.tif 000006
【図５】
2009503805.tif 000007
【図６】
2009503805.tif 000008
【図７】
2009503805.tif 000009
【図８】
2009503805.tif 000010
【図９】
2009503805.tif 000011
【図１０】
2009503805.tif 000012
【図１１】
2009503805.tif 000013
【図１２】
2009503805.tif 000014
【図１３】
2009503805.tif 000015
【図１４】
2009503805.tif 000016
【図１５】
2009503805.tif 000017
【図１６】
2009503805.tif 000018
【図１７】
2009503805.tif 000019
【図１８】
2009503805.tif 000020
【図１９】
2009503805.tif 000021
【図２０】
2009503805.tif 000022
【図２１】
2009503805.tif 000023
【図２２】
2009503805.tif 000024
【図２３】
2009503805.tif 000025
【図２４】
2009503805.tif 000026
【図２５】
2009503805.tif 000027
【図２６】
2009503805.tif 000028
【図２７】
2009503805.tif 000029
【図２８】
2009503805.tif 000030
【図２９】
2009503805.tif 000031
【図３０】
2009503805.tif 000032
【図３１】
2009503805.tif 000033
【図３２】
2009503805.tif 000034
【図３３】
2009503805.tif 000035
【図３４】
2009503805.tif 000036
【図３５】
2009503805.tif 000037
【図３６】
2009503805.tif 000038
【図３７】
2009503805.tif 000039
【図３８】
2009503805.tif 000040
【図３９】
2009503805.tif 000041
【図４０】
2009503805.tif 000042
【国際調査報告】
2009503805.tif 000043
2009503805.tif 000044
2009503805.tif 000045
2009503805.tif 000046
2009503805.tif 000047